(57)【要約】  内部にセプタム・キャップが配置されたセルを有するハニカム体を含む音響構造体。セプタム・キャップは吸音材シートから形成され、共鳴器部分およびフランジ部分を含む。フランジ部分は固定面を有し、この固定面は、音響構造体の製造中にキャップがハニカム体に挿入されたときにハニカム・セルに対するセプタム・キャップの摩擦係合をもたらす。恒久的な接合をもたらすために、キャップをハニカム・セルに挿入した後、セプタム・キャップの固定面に接着剤が塗布される。
2008537604.tif 000002
【特許請求の範囲】
【請求項１】
騒音源の近くに配置されるように適合された音響構造体において、
前記騒音源の最も近くに配置される第１の縁部、および第２の縁部を有するハニカム体であって、該ハニカム体が、前記第１の縁部と第２の縁部の間に延びる複数の壁をさらに有し、前記壁が複数のセルを画定し、前記各セルが、前記壁に対して垂直に測定される横断面積、および前記第１の縁部と第２の縁部の間の距離によって画定される深さを有しているハニカム体と、
前記セルの少なくとも１つの内側に配置されるセプタム・キャップであって、該セプタム・キャップが、所定の厚さおよび外周部を有する吸音材シートを有し、前記吸音材シートが、前記壁に配置される外縁部を有する共鳴器部分、および前記共鳴器部分の前記外縁部と前記吸音材シートの前記外周部との間に延びるフランジ部分に形成されており、前記フランジ部分が、前記壁に取り付けられる固定面を有し、該固定面が実質的に前記吸音材シートの前記厚さより大きい幅を有しているセプタム・キャップと、
前記固定面を前記壁に接合する接着剤であって、前記固定面の少なくとも一部を被覆する接着剤と
を有する音響構造体。
【請求項２】
前記固定面の幅が、前記吸音材シートの前記厚さの少なくとも２０倍大きい請求項１に記載の音響構造体。
【請求項３】
前記固定面の幅が少なくとも１．２７ｍｍ（０．０５インチ）である請求項２に記載の音響構造体。
【請求項４】
前記吸音材シートの厚さが０．０２５４ｍｍ〜２．５４ｍｍ（０．００１インチ〜０．１０インチ）である請求項１に記載の音響構造体。
【請求項５】
前記吸音材シートの厚さが０．１０１６ｍｍ〜０．１５２４ｍｍ（０．００４インチ〜０．００６インチ）である請求項２に記載の音響構造体。
【請求項６】
前記フランジ部分の幅が１．２７〜１２．７ｍｍ（０．０５０〜０．５０インチ）である請求項１に記載の音響構造体。
【請求項７】
前記フランジ部分の幅が少なくとも５．０８ｍｍ（０．２０インチ）である請求項５に記載の音響構造体。
【請求項８】
前記吸音材シートが目の粗いメッシュ織物を含む請求項１に記載の音響構造体。
【請求項９】
前記目の粗いメッシュ織物がモノフィラメントのポリマー繊維を含む請求項８に記載の音響構造体。
【請求項１０】
前記セル内に少なくとも２つのセプタムが配置され、該セプタム・キャップが、前記セル内の異なる深さに配置される請求項１に記載の音響構造体。
【請求項１１】
複数のセル内に配置される複数のセプタム・キャップを含み、前記セプタム・キャップが実質的に前記セル内の同じ深さに配置される請求項１に記載の音響構造体。
【請求項１２】
前記吸音材シートが前記セプタム・キャップに形成される前に、該吸音材シートが長方形を画定している外周部を有する請求項１に記載の音響構造体。
【請求項１３】
前記ハニカム体の第１の縁部に取り付けられた有孔外板、および前記ハニカム体の第２の縁部に取り付けられた一枚外板をさらに有する請求項１に記載の音響構造体。
【請求項１４】
騒音源の近くに配置されるように適合された音響構造体の製造に使用するための前駆構造体において、
前記騒音源の最も近くに配置される第１の縁部、および第２の縁部を有するハニカム体であって、該ハニカム体が、前記第１の縁部と第２の縁部の間に延びる複数の壁をさらに有し、前記壁が複数のセルを画定し、前記各セルが、前記壁に対して垂直に測定される横断面積、および前記第１の縁部と第２の縁部の間の距離によって画定される深さを有しているハニカム体と、
前記セルの少なくとも１つの内側に配置されるセプタム・キャップであって、該セプタム・キャップが、所定の厚さおよび外周部を有する吸音材シートを有し、前記吸音材シートが、前記壁に配置される外縁部を有する共鳴器部分、および前記共鳴器部分の前記外縁部と前記吸音材シートの前記外周部との間に延びるフランジ部分に形成されており、前記フランジ部分が、前記壁に対して摩擦によって適合される固定面を有し、該固定面が実質的に前記吸音材シートの前記厚さより大きい幅を有しているセプタム・キャップと
を有する前駆構造体。
【請求項１５】
前記固定面の幅が、前記吸音材シートの厚さの少なくとも２０倍大きい請求項１４に記載の前駆構造体。
【請求項１６】
前記固定面の幅が少なくとも１．２７ｍｍ（０．０５インチ）である請求項１４に記載の前駆構造体。
【請求項１７】
前記吸音材シートの厚さが０．０２５４ｍｍ〜２．５４ｍｍ（０．００１インチ〜０．１０インチ）である請求項１４に記載の前駆構造体。
【請求項１８】
前記吸音材シートの厚さが０．１０１６ｍｍ〜０．１５２４ｍｍ（０．００４インチ〜０．００６インチ）である請求項１５に記載の前駆構造体。
【請求項１９】
前記フランジ部分の幅が１．２７〜１２．７ｍｍ（０．０５０〜０．５０インチ）である請求項１４に記載の前駆構造体。
【請求項２０】
前記フランジ部分の幅が少なくとも５．０８ｍｍ（０．２０インチ）である請求項１８に記載の前駆構造体。
【請求項２１】
前記吸音材シートが目の粗いメッシュ織物を含む請求項１４に記載の前駆構造体。
【請求項２２】
前記目の粗いメッシュ織物がモノフィラメントのポリマー繊維を含む請求項２１に記載の前駆構造体。
【請求項２３】
前記セル内に少なくとも２つのセプタム・キャップが配置され、該セプタム・キャップが前記セル内の異なる深さに配置される請求項１４に記載の前駆構造体。
【請求項２４】
複数のセル内に配置される複数のセプタム・キャップを含み、前記セプタム・キャップが実質的に前記セル内の同じ深さに配置される請求項１４に記載の前駆構造体。
【請求項２５】
前記吸音材シートが前記セプタム・キャップに形成される前に、該吸音材シートが長方形を画定している外周部を有する請求項１４に記載の前駆構造体。
【請求項２６】
音響構造体の製造方法であって、
請求項１４に記載の前駆構造体内に配置された少なくとも１つのセプタム・キャップの前記固定面の少なくとも一部に接着剤を塗布するステップであって、それによって前記固定面の前記ハニカム壁への接合取り付けを提供するステップを含む音響構造体の製造方法。
【請求項２７】
前記ハニカム体の第１の縁部に有孔外板を接合し、前記ハニカム体の第２の縁部に一枚外板を接合する追加のステップを含む請求項２６に記載の音響構造体の製造方法。
【請求項２８】
前記固定面の少なくとも一部に接着剤を塗布する前記ステップが、前記フランジ部分は接着剤に接触するが前記共鳴器部分は接触しないように、接着剤を含むプールに前記前駆構造体を浸すことを含む請求項２６に記載の音響構造体の製造方法。
【請求項２９】
騒音源の近くに配置されるように適合された音響構造体を製造する方法において、
前記騒音源の最も近くに配置される第１の縁部、および第２の縁部を有するハニカム体を提供するステップであって、前記ハニカム体が、前記第１の縁部と第２の縁部の間に延びる複数の壁をさらに有し、前記壁が複数のセルを画定し、前記各セルが、前記壁に対して垂直に測定される横断面積、および前記第１の縁部と第２の縁部の間の距離によって画定される深さを有しているステップと、
所定の厚さおよび外周部を有する少なくとも１つの吸音材シートを提供するステップと、
前記吸音材シートをセプタム・キャップに形成するステップであって、該セプタム・キャップは、前記壁に配置される外縁部を有する共鳴器部分、および前記共鳴器部分の前記外縁部と前記吸音材シートの前記外周部との間に延びるフランジ部分を有しており、前記フランジ部分が固定面を含み、該固定面が実質的に前記吸音材シートの厚さより大きい幅を有しているステップと、
前記固定面が前記壁に隣接するように、前記セプタム・キャップを前記セルに挿入するステップと、
前記固定面を前記壁に接着接合するステップと
を含む方法。
【請求項３０】
前記ハニカム体の第１の縁部に有孔外板を接合し、前記ハニカム体の第２の縁部に一枚外板を接合する追加のステップを含む請求項２９に記載の音響構造体の製造方法。
【請求項３１】
前記セプタム・キャップに形成される前記吸音材シートが、長方形を画定する外周部を有している請求項２９に記載の音響構造体の製造方法。
【請求項３２】
前記固定面を前記壁に接着接合する前記ステップが、前記フランジ部分は接着剤に接触するが前記共鳴器部分は接触しないように、接着剤を含むプールに前記ハニカム体を浸すことを含む請求項２９に記載の音響構造体の製造方法。
【請求項３３】
騒音源の近くに配置されるように適合された音響構造体の製造に使用するための前駆構造体を製造する方法において、
前記騒音源の最も近くに配置される第１の縁部、および第２の縁部を有するハニカム体を提供するステップであって、該ハニカム体が前記第１の縁部と第２の縁部の間に延びる複数の壁をさらに有し、前記壁が複数のセルを画定し、前記各セルが、前記壁に対して垂直に測定される横断面積、および前記第１の縁部と第２の縁部の間の距離によって画定される深さを有しているステップと、
所定の厚さおよび外周部を有する少なくとも１つの吸音材シートを提供するステップと、
前記吸音材シートをセプタム・キャップに形成するステップであって、前記セプタム・キャップは、前記壁に配置される外縁部を有する共鳴器部分、および前記共鳴器部分の前記外縁部と前記吸音材シートの前記外周部との間に延びるフランジ部分を有し、前記フランジ部分が固定面を含み、該固定面がａを有しているステップと、
前記固定面が前記壁に対して摩擦によって適合されるように、前記セプタム・キャップを前記セルに挿入するステップであって、前記固定面の幅が、前記セプタム・キャップを前記壁の中に保持するための適切な摩擦力を前記固定面と前記壁の間にもたらすのに十分なものであるステップと
を含む方法。
【請求項３４】
エンジンの近くに配置される請求項１に記載の音響構造体を含む動力装置システム。
【請求項３５】
請求項１に記載の音響構造体を含む航空機。
【請求項３６】
請求項３４に記載の動力装置システムを含む航空機。
【請求項３７】
ジェット・エンジン、および該ジェット・エンジン用のナセルを含む動力装置システムであって、前記ナセルが請求項１に記載の音響構造体を含む動力装置システム。
【請求項３８】
エンジンの近くに配置される請求項１３に記載の音響構造体を含む動力装置システム。
【請求項３９】
請求項１３に記載の音響構造体を含む航空機。
【請求項４０】
請求項３８に記載の動力装置システムを含む航空機。
【請求項４１】
ジェット・エンジン、および該ジェット・エンジン用のナセルを含む動力装置システムであって、前記ナセルが請求項１３に記載の音響構造体を含む動力装置システム。
【発明の詳細な説明】
【技術分野】
【０００１】
本発明は一般に、騒音を減衰させるために用いられる音響システムに関する。より詳細には、本発明は、ハニカム体を用いて、ジェット・エンジンや他の騒音源で生じた騒音を低減させるのに有用なナセルおよび他の構造体を製造することを含む。
【背景技術】
【０００２】
特定の音源によって発生する過剰騒音に対処するには、騒音を音源で処理するのが最良の方法であることが広く認められている。これは通常、騒音源の構造に音響減衰用の構造を加えること（音響処理）によって実施される。特に問題のある騒音源の１つは、ほとんどの旅客機に用いられているジェット・エンジンである。音響処理は通常、エンジン入口、ナセルおよび排気構造体に組み込まれる。これらの音響処理は、比較的薄い吸音材または格子を含む音響共鳴器を含み、これらの吸音材または格子は、エンジンによって発生する音響エネルギーに対する音響インピーダンスを生じさせる何百万もの孔を有する。技術者が直面する基本的な問題は、所望の騒音減衰を提供するために、こうした薄く可撓性のある吸音材をどのようにジェット・エンジンおよび周囲のナセルの構造要素に加えるかということである。
【０００３】
ハニカム体は比較的強く軽量であるため、航空機および宇宙船用の一般的な材料になっている。音響上の用途での目標は、ハニカム・セルが閉鎖されるように、または覆われるように、何らかの方法で薄い吸音材をハニカム構造体に組み込むことであった。セルが吸音材で閉鎖されると、共鳴器の基礎である音響インピーダンスが生じる。
【０００４】
薄い吸音材をハニカム体に組み込むための１つの手法は、サンドイッチ設計と呼ばれる。この手法では、薄い吸音シートを２枚のハニカム体の間に配置し、適所に接合して単一の構造体を形成する。この手法は、正確な寸法に編み込まれ、穿孔され、またはエッチングされた精巧な吸音材の設計の利用を可能にし、且つ接合工程が比較的簡単になるという利点を有している。しかし、この設計の欠点は、構造体の強度が２枚のハニカム片と吸音材との間の接合によって制限されることである。また２枚のハニカム片の間の接合面は、ハニカム体の縁部に沿った表面領域に制限される。さらに、吸音材の孔の一部が、接合工程中に過剰な接着剤で閉鎖されることがある。これによって共鳴器の有効な音響領域が失われる恐れがあるため、孔が閉鎖されないようにすることが重要である。
【０００５】
第２の手法は、ハニカム・セル内の適所に個々に接合される、比較的厚く中実（ｓｏｌｉｄ）の挿入物を用いるものである。適所に配置した後、挿入物を穿孔、あるいは他の方法で処理して、挿入物が吸音材として機能するために必要な孔を形成する。この手法によって、２枚のハニカム片を互いに接合する必要がなくなる。その結果、内部で挿入物がしっかりと接合された強い構造体がもたらされる。しかし、この手法にもいくつかの欠点がある。例えば中実の挿入物に数百万もの孔をあけなければならないことによる費用および複雑さは、重大な欠点である。さらに、比較的厚く中実の挿入物によってハニカム体が硬くなり、ジェット・エンジン用のナセルなどの非平面構造体に成形することを難しくする。
【発明の開示】
【０００６】
本発明によれば、個々の吸音材シートがセプタム・キャップ（ｓｅｐｔｕｍ  ｃａｐ）に形成され、これらセプタム・キャップがハニカム・セルに挿入された、ハニカム形の音響構造体が提供される。セプタム・キャップは、実質的に吸音材より厚いフランジ部分を有し、これはセプタム・キャップをハニカム体の壁に取り付けるために用いられる固定面を形成する。セプタム・キャップは初めに、固定面とセル壁の間の摩擦係止によってセル内の適所に保持される。この摩擦係止は、セプタム・キャップが接着剤によって適所に恒久的に接合されるまで、それを適所に保つのに十分なものである。
【０００７】
本発明の音響構造体は、ジェット・エンジンや他の動力装置などの騒音源の近くに配置されるように設計される。構造体は、騒音源の最も近くに配置される第１の縁部、および騒音源から離れたところに配置される第２の縁部を有するハニカム体を含む。ハニカム体は、ハニカム体の第１の縁部と第２の縁部の間に延びる複数の壁を含む。ハニカム体の壁が複数のセルを画定し、それぞれのセルは、ハニカム体の壁に対して垂直に測定される横断面積、および第１の縁部と第２の縁部の間の距離によって画定される深さを有している。
【０００８】
本発明の特徴としては、セプタム・キャップがハニカム・セルの少なくとも１つの内側に配置され、セルの横断面積全体を覆う。セプタム・キャップは、ある厚さおよび周囲長さを有する１枚の吸音材シートから製造される。シートは長方形であることが好ましい。セプタム・キャップは、ハニカム壁に隣接して配置される外縁部を有する共鳴器部分、および共鳴器部分の外縁部と吸音材シートの外周部との間に延びるフランジ部分を含んでいる。フランジ部分は、前駆構造体を形成するために最初は摩擦係合によってセル壁に取り付けられる固定面を有している。セプタム・キャップとハニカム壁の間に必要な大きさの摩擦係止をもたらすように、固定面は実質的に吸音材シートの厚さより大きい幅を有している。最終的な音響構造体は、前駆構造体を利用して、固定面およびセル壁に接着剤を塗布してセプタムを適所に恒久的に接合することによって製造される。
【０００９】
本発明は、既存のハニカム形の音響構造体にないいくつかの利点を提供する。例えば構造を弱めるような２枚のハニカム片の間の継ぎ目は存在しなくなる。セプタム・キャップをハニカム・セル内の異なる高さに配置することができ、それによって、よく知られているヘルムホルツ共鳴器の原理に基づく騒音減衰の微調整を可能にする。複数のセプタム・キャップを１つのハニカム・セル内の異なる高さに配置して、複数の空洞およびインピーダンス格子を作製することもできる。異なる吸音材から製造されたセプタム・キャップを、同じハニカム構造体に、あるいは同じハニカム・セル内に用いることもできる。フランジ部分は比較的大きい固定面領域を形成し、それによって構造体の寿命の間、セプタム・キャップをセル壁にしっかりと接合することを保証する。さらに、比較的薄く可撓性のあるセプタム・キャップがハニカム体の可撓性を低下させることはなく、これはナセルや他の非平面の音響構造体にとって重要な事柄である。
【００１０】
本発明の先に論じた利点、および他の多くの特徴的且つ付随的な利点は、添付図面と共に取り上げる以下の詳細な説明を参照することによってさらによく理解されよう。
【実施例】
【００１１】
本発明による例示的な音響構造体を、図１および図６に全体的に１０で示してある。音響構造体１０は、騒音源の最も近くに配置される第１の縁部１４、および第２の縁部１６を含んでいる。ハニカム体１０は、２つの縁部１４と１６の間に延びて複数のセル２０を画定する壁１８を含んでいる。セル２０はそれぞれ、２つの縁部１４と１６の間の距離に等しい深さ（コア厚さとも呼ぶ）を有している。各セル２０はまた、セル壁１８に対して垂直に測定される横断面積を有している。ハニカム体は、金属、セラミックスおよび複合材料を含む、ハニカム・パネルの製造に用いられる通常の材料の任意のものから製造することができる。
【００１２】
本発明の特徴として、セル２０の内側にセプタム・キャップ２２が配置される。セプタム・キャップ２２を、すべてではないにしてもほとんどのセル２０の中に配置することが好ましい（ただし、そうする必要はない）。状況によっては、所望の音響効果をもたらすために、一部のセルだけにセプタム・キャップ２２を挿入することが望ましい場合もある。あるいは、１つのセルに２つ以上のセプタム・キャップを挿入することが望ましい場合もある。
【００１３】
例示的なセプタム・キャップ２２を、図２および図３に示す。セプタム・キャップ２２は、吸音材シートから、このシートを折り曲げ、ハニカム・セルの横断面積に合うような大きさに合わせた六角形のキャップにすることによって成形される。セプタム・キャップ２２は、図６に示すように、プランジャ６３を用いて吸音材シート６０をキャップの折り曲げダイ６２に押し込むことによって成形されることが好ましい。シート６０はやや長方形状であることが好ましく、吸音材のロール６４から切断される。シート６０は、図３に示す厚さ（ｔ）および周囲長さ６５を有している。シート６０の大きさおよび形は、シートが挿入されるハニカム・セルの形／大きさ、シート６０の厚さ、および使用される特定の吸音材に応じて広い範囲にわたって変えることができる。
【００１４】
図２および図３を参照すると、セプタム・キャップ２２は外縁部２５を有する共鳴器部分２４を含んでいる。セプタム・キャップ２２はさらに、初めは摩擦係合によってセル壁１８に取り付けられ、続いて適切な接着剤を用いて恒久的に接合される固定面２７を有する、フランジ部分２６を含んでいる。固定面２７は、ある幅（Ｗ）を有している。
【００１５】
固定面の幅（Ｗ）は、セルの横断面積、吸音材の厚さ、吸音材のタイプおよび接着剤を含めたいくつかの要素に応じて変えることができる。６．３５〜２５．４ｍｍ（１／４〜１インチ）のセルを有する典型的なハニカム体の場合、０．０２５４ｍｍ〜２．５４ｍｍ（０．００１インチ〜０．１０インチ）程度の厚さを有する吸音材には、１．２７ｍｍ〜１２．７ｍｍ（０．０５０インチ〜０．５００インチ）程度の固定面の幅が適している。０．１０１６〜０．１５２４ｍｍ（０．００４〜０．００６インチ）の厚さを有する標準的な吸音材の場合、固定面の幅は少なくとも５．０８ｍｍ（０．２０インチ）であることが好ましい。一般には、固定面の幅が実質的に吸音材の厚さより大きいことが好ましい。「実質的に大きい」とは、固定面の幅が吸音材の厚さの少なくとも５倍超、好ましくは、少なくとも２０倍超であることを意味している。
【００１６】
標準的な吸音材の任意のものを用いて、セプタム・キャップを形成することができる。こうした吸音材は通常、騒音減衰をもたらすように設計された穴あき、多孔性または目の粗いメッシュ繊維である比較的薄いシートとして提供される。様々な材料（金属、セラミックス、プラスチック）の穴あきおよび多孔性シートを用いることもできるが、吸音材がモノフィラメント繊維から織られた目の粗いメッシュ織物であることが好ましい。繊維は、ガラス、炭素、セラミックまたはポリマーから構成することができる。ポリアミド、ポリエステル、ポリエチレン、クロロトリフルオロエチレン（ＥＣＴＦＥ）、エチレンテトラフルオロエチレン（ＥＴＦＥ）、ポリテトラフルオロエチレン（ＰＴＦＥ）、ポリフェニレンサルファイド（ＰＰＳ）、ポリフルオロエチレンプロピレン（ＦＥＰ）、ポリエーテルエーテルケトン（ＰＥＥＫ）、ポリアミド６（ナイロン、６ＰＡ６）およびポリアミド１２（ナイロン１２、ＰＡ１２）から製造されたモノフィラメントのポリマー繊維は、わずかな実施例にすぎない。高温の用途には、ＰＥＥＫから製造された目の粗いメッシュ織物が好ましい。吸音性の目の粗いメッシュ織物、および本発明によるセプタム・キャップを形成するために用いることができる他の吸音材は、様々な市販向けの供給元から入手することができる。例えば、吸音性の目の粗いメッシュ織物のシートは、ＳＥＦＡＲ  Ａｍｅｒｉｃａ  Ｉｎｃ．（バッファロー事業本部、ニューヨーク州  １４０４３、デピュー、１１１  カルメットストリート）から、ＳＥＦＡＲ  ＰＥＴＥＸ、ＳＥＦＡＲ  ＮＩＴＥＸおよびＳＥＦＡＲ  ＰＥＥＫＴＥＸという商品名で入手することができる。
【００１７】
セプタム・キャップ２２をハニカム・セルに挿入して、様々な音響設計を提供することができる。例えば図４の２２ａおよび２２ｂに示すように、セプタム・キャップをハニカム体１２ａ内の異なる高さに配置してもよい。このタイプの設計によって、音響構造体の騒音減衰特性の微調整が可能になる。図４に示す２レベル（高さ）設計は、本発明によって可能になる様々な実現可能な複数レベルのセプタム配置の一実施例として企図されるにすぎない。当業者には理解されるように、実現可能な異なるセプタム配置の高さの数はきわめて多く、特定の騒音を減衰させる要求を満たすように調整することができる。
【００１８】
セプタム・キャップ２２に対する挿入構成の他の実施例を図５に示す。この構成では、２組のセプタム・キャップ２２ｃおよび２２ｄがハニカム体１２ｂに挿入されて、２つのセプタム・キャップを備えたそれぞれのセルを提供する。明らかであるが、所与のセルに３つ以上のセプタム・キャップが挿入された実現可能な他の構成も多数考えられる。さらに、図４に例示した複数レベルの挿入物の設計を、図５に例示したセルごとに複数の挿入物を有する設計と組み合わせて、無限の数の実現可能なセプタム・キャップの挿入構成を提供することも可能であり、それを用いて、所与の騒音源に対する最適な騒音減衰をもたらすように音響構造体を微調整することができる。
【００１９】
既に言及した、キャップの折り曲げダイ６２およびプランジャ６３を用いてセプタム・キャップをあらかじめ成形する、セプタム・キャップをハニカム体に挿入するための好ましい方法を図６に示す。図６でハニカム構造体を識別するために用いている参照番号は、構造体が、まだセプタム・キャップをセル壁に恒久的に接合していない前駆構造体であることを示す「ｐ」を含むことを除けば、図１と同様である。
【００２０】
個々の吸音材シートからセプタム・キャップを成形するためにキャップの折り曲げダイ６２を使用することが好ましいが、それが必要とされるわけではないことに留意すべきである。ハニカム体を型として使用し、プランジャ６３を用いてシート６０をセルに押し込むだけでセプタム・キャップを成形することも可能である。しかし、ハニカム・パネルは通常、製造工程中により大きいハニカム体の塊から切断されるため、多くのハニカム・パネルの縁部が比較的ぎざぎざになる傾向がある。したがって平坦な材料シートを強制的にセルに直接挿入すると、ハニカム体の縁部が吸音材をひっかけ、引き裂き、または汚す傾向がある。したがって必要に応じて、ただしハニカム体の縁部が粗い縁部またはぎざぎざの縁部を取り除くように処理された場合に限り、キャップの折り曲げダイを省くことができる。
【００２１】
後の前駆構造体の処理中にセプタム・キャップを適所に保持するように固定面とセル壁との間に十分な摩擦接触を提供する一方、吸音材を損傷することなくセプタム・キャップをセルに挿入し得るように、吸音材シートの大きさ／形、およびダイ／プランジャ（あるいは、ダイを使用しない場合にはプランジャのみ）の大きさ／形を選択することが重要である。通常の実験法により、固定面を接着剤でセル壁に恒久的に接合する前に前駆構造体の適所でのセプタム・キャップの必要な摩擦係止または保持を達成するために必要とされる、吸音シートの様々な大きさおよび形を決定することができる。摩擦係止および保持の程度は、処理中に前駆構造体をうっかり落とした場合にも、セプタム・キャップがハニカム体から脱落しないような十分なものとすべきである。
【００２２】
通常のガラス繊維／フェノール樹脂材料から製造された標準的な９．５２５ｍｍ（３／８インチ）の複合ハニカム体の場合、典型的な目の粗いメッシュの吸音材シート（０．１０１６〜０．１５２４ｍｍ（０．００４〜０．００６インチ）厚）に好ましい大きさは、１２．７〜１７．７８ｍｍ（０．５０〜０．７０インチ）×１５．２４〜２０．３２ｍｍ（０．６０〜０．８０インチ）の範囲の寸法を有する長方形である。吸音材シートは切込みがないこと、あるいはシートの折り曲げ性を高めるように切断されていることが好ましい。切込みがない場合、シートが折り重なり、セプタム・キャップのハニカム壁への接合性を高める固定面のしわを有するセプタム・キャップになることが見出された。また切込みは、さもなければセプタム・キャップのフランジ部分に存在するはずの外向きの張力または偏倚力の一部を解放する傾向がある。この外向きの張力または力は、折り曲げられたシートが本質的に偏倚して、折り曲げられていない位置に戻ることによって生じるものである。この外向きの偏倚または力は、セプタム・キャップとセル壁の間の摩擦係止の重要な部分である。
【００２３】
セプタム・キャップ２２が摩擦係止のみによって適所に保持されている前駆構造体を、図６に１０ｐで示す。既に言及したように、摩擦係止は、セプタム・キャップが適切な接着剤を用いて恒久的に接合されるまで、それを適所にしっかりと保持するのに十分なものでなければならない。使用される接着剤は、ハニカム・パネルの製造に用いられる通常の接着剤の任意のものとすることができる。好ましい接着剤には、高温（１４９〜２０４℃（３００〜４００°Ｆ））で安定であるものが含まれる。例示的な接着剤には、エポキシ類、アクリル類、フェノール類、シアノアクリレート類、ＢＭＩ類、ポリアミド−イミド類およびポリイミド類が含まれる。
【００２４】
様々な既知の接着剤塗布手順を用いて、接着剤を固定面／セル壁の境界面に塗布することができる。重要な事柄は、接着剤をフランジの固定面／セル壁の境界面のみに選択的に塗布し、セプタム・キャップの共鳴器部分には塗布しないようにすべきことである。接着剤が共鳴器部分に塗布されると、メッシュまたは他の吸音材の開口を閉鎖すること、あるいは少なくとも大きさを減じることになる。接着剤を固定面／セル壁の境界面に選択的に塗布することができる任意の接着剤塗布手順を用いることが可能である。
【００２５】
例示的な接着剤塗布手順を図７に示す。この例示的な手順では、セプタム・キャップ２２ｐのフランジ部分だけを接着剤に浸すように、ハニカム体１２ｐを接着剤のプール７０に浸けるだけである。浸漬前にセプタム・キャップが正確に同じ高さに配置されていれば、この浸漬手順を用いて接着剤を固定面／セル壁の境界面に正確に塗布できることが分かった。セプタム・キャップが異なる高さに配置される場合には、複数の浸漬ステップが必要になる。あるいは、ブラシや他の特定の場所のための塗布技術を用いて、接着剤を塗布することもできる。こうした技術のいくつかを用いて、セプタム・キャップを挿入する前にコア壁に接着剤を塗布してもよい。あるいは、コアへの挿入前に接着剤をセプタム材の上にステンシル塗りし、実施することもできる。
【００２６】
図７に示した接着剤を塗布するための浸漬手順は、折り曲げられた吸音材シートに存在するしわが、毛管作用によって接着剤を上方へ運びやすくする小さい流路を固定面とセル壁の間に形成するため、特に適切に機能することが分かった。この上向きのウィッキング（吸上げ）によって、共鳴器部分の外縁部とセル壁の交点にフィレット（ｆｉｌｌｅｔ）が形成される。共鳴器部分の縁部に接着剤のフィレットが形成されると、セル壁に適切に接合することが可能になるだけはなく、接着剤と共鳴器部分の間に明確な境界が設けられ、共鳴器部分の音響特性が接着剤による悪影響を受けないことが保証される。
【００２７】
本発明による音響構造体は、騒音減衰が必要な様々な状況において使用することができる。構造体は、通常、騒音減衰が問題になる動力装置システムと共に使用するのに適している。ハニカム体は比較的軽量の材料である。したがって本発明の音響構造体は、特に航空システムでの使用に適している。例示的な用途には、ジェット・エンジン用のナセル、大型タービンまたは往復機関用のカウリング（カバー）、および関連する音響構造体が含まれる。
【００２８】
本発明の基本的な音響構造体は通常、最終的なエンジン・ナセルの形に熱成形され、次いで外板（スキン）または外側材料シートが、成形した音響構造体の外側の縁部に（１つまたは複数の）接着層によって接合される。この完成したサンドイッチ状のものを保持具の中で硬化させる。保持具は、接合中、複雑なナセルの形を維持する。例えば図８に示すように、音響構造体１０は最終的なナセルの形に熱成形される。サンドイッチ状の部分は、一枚シート（ｓｏｌｉｄ  ｓｈｅｅｔ）または外板８０を接合具の中に配置することによって作製される。次に、接着剤の層を外板上に配置する。これに続いて、成形した音響構造体１０を加える。接着フィルムの第２の層、次いで一番上の外板８２を加える。これでサンドイッチ状のものが完成する。熱および圧力を用いて、組立体を接合する。最終的なナセルの形は、接合具によって制御される。次いでパネルは、図９に９０で図示したジェット・エンジンのまわりに沿うようになる。
【００２９】
実施例には以下のようなものがある。
以下の実施例は、本発明による例示的な吸音用のセプタム・キャップ・ハニカム体に関する詳細な説明を与えるものである。様々な寸法、ハニカム材、吸音用メッシュ材および接着剤を用いることが可能であることが当業者には理解されよう。一般に、特定の構造上および音響上の用途によって、コアの密度、セプタムの深さ、音響インピーダンス、コアの厚さ、薄片の長さ、薄片の幅およびメッシュ材の寸法を含む、様々な設計要件が決まる。
【００３０】
例示的なセプタム・コア製品：
例示的な吸音用セプタム・キャップのコアは、９．５２５ｍｍ（３／８インチ）のセルを有するガラス繊維のハニカム体から製造した。セプタムは、厚さ３１．７５ｍｍ（１．２５インチ）のコアの縁部から１２．７ｍｍ（０．５００インチ）のところに配置した。セプタム・コアの音響インピーダンスは、７０ｒａｙｌであることが分かった。
【００３１】
材料：
ハニカム体は、Ｈｅｘｃｅｌ  Ｃｏｒｐｏｒａｔｉｏｎ（カリフォルニア州、ダブリン）によって供給され、部品番号−ＨＲＰ−３／８−４．５ポンド／立方フィート（ｐｃｆ）（フェノール樹脂を用いた０／９０度ガラス繊維構造）として識別される。ハニカム体の密度は、７２．１ｋｇ／ｍ３（４．５ポンド／立方フィート）であった。
吸音用メッシュは、ＳＥＦＡＲ  Ａｍｅｒｉｃａ，Ｉｎｃ．より入手し、部品番号−１７−２００５−Ｗ０２２（４５〜６４ｒａｙｌの範囲の音響インピーダンスを有する非金属の織物メッシュ）として識別される。
接着剤は、Ｈｅｘｃｅｌ  Ｃｏｒｐｏｒａｔｉｏｎより入手し、部品番号−８９９−５５として識別される。接着剤は、商標登録をもつ材料であるポリアミド−イミド系のものである。必要に応じて、エポキシ類、アクリル類、フェノール類、シアノアクリレート類およびポリアミド類など、他の接着剤を用いることもできる。
【００３２】
吸音コアの寸法は、以下の通りであった。
コア・セルの大きさ：典型的なセルの大きさは、壁から壁まで測定した六角形の内側寸法が１０．０６ｍｍ（０．３９６インチ）であった。薄片の厚さは、概して３１．７５ｍｍ（１．２５０インチ）であった。六角形のセルに挿入されるメッシュは、概して１１．７８ｍｍ×１６．５１ｍｍ（０．７００インチ×０．６５０インチ）の長方形であった。メッシュを折り曲げてキャップを形成し、ハニカム・セルに挿入した。キャップの上部は、セルの形および大きさ（１０．０６ｍｍ（０．３９６インチ）の内側寸法を有する六角形）に一致するようになされている。キャップの側面は、接着剤の取り付けのためにハニカム・セルの壁に一致するようになされている。キャップの側面は、概して４．７６ｍｍ（０．１８７５インチ）の長さであり、セプタム・キャップをハニカム体に取り付けるために接着剤に浸される。
【００３３】
接着剤の浸漬および硬化工程：
各セルにセプタム・キャップが挿入されたハニカム・コアを、以下のように浸漬させる：
（ａ）セプタムの上部を上向きに配置した状態で、コアを接着剤の槽に入れる。
（ｂ）薄片を所定の高さまで下げて、接着剤がハニカム片の厚み部分を上方へ移動し、キャップの底面側を覆うようにする。
（ｃ）キャップの側面に沿った接着剤の浸漬高さは、概して３．８１ｍｍ（０．１５０インチ）である。接着剤は、通常残りの０．９５２５ｍｍ（０．０３７５インチ）を毛管作用によって上昇して、メッシュ繊維を閉鎖および固定し、キャップをハニカム壁に接合する。
接着剤の硬化サイクルは、以下のように行われる：
浸漬および排出の直後に、コアを１４９℃（３００°Ｆ）のオーブンに入れる。接着剤を、１４９℃（３００°Ｆ）で３０分間、１７７℃（３５０°Ｆ）で３０分間、および２０４℃（４００°Ｆ）で３０分間の硬化サイクルにかける。
【００３４】
メッシュおよびセプタム・コアの音響試験：
（１）ＳＥＦＡＲ  Ａｍｅｒｉｃａ，Ｉｎｃ．によって提供される前述のメッシュは、供給業者によって２５〜１２０ｒａｙｌの音響インピーダンスの範囲を与えるように調整される。
（２）セプタム・コアに対する音響インピーダンスの範囲を、メッシュ上に配置する接着剤の量によって調整することもできる。５０ｒａｙｌのメッシュの実施例を用い、それをハニカム体に挿入する。接着剤の浸漬高さがキャップの側面に沿って２．５４ｍｍ（０．１００インチ）である場合、接着剤のラインより上の密閉されていないその他のメッシュによって、セル内の最終的なコアのインピーダンスは典型的には４２ｒａｙｌまで低下する。これは、この設計を用いて得られる最低のインピーダンスである。接着剤によって４．７６ｍｍ（０．１８７５インチ）の高さまで密閉した場合、典型的なインピーダンスは７０ｒａｙｌになる。
【００３５】
メッシュおよびコアのための試験方法：
音響評価のために２つの試験方法を用いることができる。レールメータ（Ｒａｙｌｏｍｅｔｅｒ）、または通気性に対する個々のセルの真空試験である。レールメータの単位はｒａｙｌであり、個々のセルの真空度の単位はキロパスカルである。以下の表は、前述のようにキャップがメッシュのみ（接着剤なし）の場合、および接着剤を用いてキャップを適所に接合した場合の吸音用セプタム・キャップ・ハニカム体についての音響評価の結果を示している。
【表１】
2008537604.tif 000003
メッシュのみのコアに対する真空度の読取りは、開口に対して密閉されたメッシュを備えた内径６．３５（．２５０）の真空試験ヘッドを用いて行った。セプタム・コアに対する真空度の読取りは、９．５２５ｍｍ（３／８インチ）の１つのセプタムセルの内側で行った。これは、内径１０．０６ｍｍ（０．３９６インチ）の試験ヘッドと同様である。真空ヘッドは、大気に対して開放したときを２０キロパスカル、および大気に対して完全に密閉したときを８０キロパスカルの真空示度として較正した。
【００３６】
メッシュの領域が増える（孔が増える）と、音響インピーダンスの示度が低下することに留意すべきである。典型的な共鳴器のメッシュは、２％〜４％の孔面積を有している。音波が吸音用メッシュを通過すると、波の圧力がメッシュの粒子を移動させる。音響インピーダンスとは、圧力とそれがメッシュ内に発生させる粒子速度との比である。言い換えれば、音響インピーダンスとは、瞬間的なメッシュの粒子速度によって分割されるメッシュに対する音波の圧力である。先に言及したように、ここでの音響インピーダンスの測定単位はｒａｙｌである。実際のｒａｙｌ単位は、「パスカル−秒／メートル」である。メッシュ材全体にわたる音響インピーダンスおよび真空圧力の低下は、孔面積（単位面積あたりの孔の数および大きさ）の関数である。
【００３７】
例えば、Ｓｅｆａｒのメッシュ（部品番号１７−２００５−Ｗ０２２）を用いたとき、（前述のように作製した）セプタム・コアにおける様々な大きさの円形メッシュの面積に対する圧力低下は以下の通りであった。
【表２】
2008537604.tif 000004
この表は、メッシュの面積と共に孔の数が増えるにつれて、大きくなるセプタムのメッシュ面積全域での圧力低下が小さくなることを示している。
【００３８】
前述のように、例示的なセプタム・コアに用いたＳｅｆａｒのメッシュ（部品番号１７−２００５−Ｗ０２２）はセプタム・キャップ・メッシュに直径９．０１７ｍｍ（０．３５５インチ）の開口を有し、それによって、この設計に対する真空示度は３１キロパスカルを、Ｒａｙｌの示度は７０Ｒａｙｌを示した。
【００３９】
９．５２５ｍｍ（３／８インチ）のハニカム・セル内の吸音用メッシュ全体で真空度の低下を測定すると、その示度は２５〜３５キロパスカルの範囲になる可能性があり、９．５２５ｍｍ（３／８インチ）のハニカム・セルにおけるメッシュの音響インピーダンスは、５０ｒａｙｌ〜１２０ｒａｙｌの範囲になる。
【００４０】
前述の実施例から明らかであるように、セプタム・キャップをハニカム体に接合するのに様々な量の接着剤を使用することによって、六角セルにおける有効なメッシュ面積の量を増減させることが可能になる。これによって、音響上のｒａｙｌ値を制御することが可能になる。例えば、セプタム・キャップに６０ｒａｙｌのメッシュを使用した場合、キャップの上側面のまわりのメッシュを接着剤で被覆しないようにすることによって、セルのインピーダンスを５０ｒａｙｌまで下げることができる。この手法によって、セル内のメッシュの孔面積が大きくなり、有効な音響インピーダンスが低下する。接着剤が、キャップの垂直な側面とセプタム・キャップの水平な頂部との間の各側面、および半径部分を完全に被覆している場合、インピーダンスは７５ｒａｙｌまで高まる。
【００４１】
このように、本発明の例示的な実施例について説明してきたが、当業者は、開示の範囲が例示的なものにすぎず、本発明の範囲内で他にも様々な変更、改造および修正を行うことが可能であることに留意すべきである。したがって、本発明は前述の好ましい実施形態および実施例に限定されず、添付する特許請求の範囲によってのみ限定される。
【図面の簡単な説明】
【００４２】
【図１】本発明による例示的な音響構造体の斜視図である。
【図２】本発明による例示的なセプタム・キャップの斜視図である。
【図３】図２に示した例示的なセプタム・キャップの面３−３で得られる横断面図である。
【図４】２組のセプタム・キャップがハニカム・セル内の２つの異なる深さに配置された、本発明による例示的な音響構造体の横断面図である。
【図５】各ハニカム・セル内に２つのセプタム・キャップが配置された、本発明による例示的な音響構造体の横断面図である。
【図６】セプタム・キャップが吸音材シートから形成され、ハニカム体に挿入されて前駆構造体を形成する、音響構造体を製造する製造工程の一部を概略的に示す図である。
【図７】セプタム・キャップのフランジは接着剤に接触するが共鳴器部分は接触しないように前駆構造体を接着剤のプールに浸すことによって、セプタム・キャップの固定面およびハニカム壁に接着剤を塗布する例示的な好ましい方法を示す断面図である。
【図８】互いに組み合わされて図９に示すタイプの音響構造体を形成する一枚外板、音響構造体および有孔外板の一部を示す分解斜視図である。
【図９】騒音源（ジェット・エンジン）の近くに配置される、一枚外板と有孔外板の間にはさまれた吸音ハニカム体を含む例示的な音響構造体（ナセル）の部分断面図である。
【図１】
2008537604.tif 000005
【図２】
2008537604.tif 000006
【図３】
2008537604.tif 000007
【図４】
2008537604.tif 000008
【図５】
2008537604.tif 000009
【図６】
2008537604.tif 000010
【図７】
2008537604.tif 000011
【図８】
2008537604.tif 000012
【図９】
2008537604.tif 000013
【国際調査報告】
2008537604.tif 000014
2008537604.tif 000015